(57)【要約】  水溶性又は水分散性フィルム内部で、カチオン性ポリマーを脂肪酸又は塩と非水性組成物と組み合わせることで、良好な布地ケア効果をもたらす、安定で、迅速に溶解する１回用量の物品に対する必要性に応える。カチオン性ポリマーを脂肪酸と組み合わせることにより、カチオン性ポリマーが封入フィルムの溶解性を低下させることを予防する。【特許請求の範囲】
【請求項１】
１回用量物品であって、
ａ）カチオン性ポリマーと、
ｂ）脂肪酸又は塩と、を含む非水性液体組成物を含み、
前記非水性液体組成物が水溶性又は水分散性フィルムに封入される、１回用量物品。
【請求項２】
前記非水性液体組成物が、２０％未満、好ましくは１５％未満、より好ましくは１２％未満、最も好ましくは８％未満の水を含む、請求項１に記載の１回用量物品。
【請求項３】
前記カチオン性ポリマーがカチオン性多糖である、請求項１又は２に記載の１回用量物品。
【請求項４】
前記カチオン性多糖が、式：
【化１】
2013534554.tif 000014
の構造を有するカチオン性セルロースであり、式中、
ａ．ｍは２０〜１０，０００の整数であり、
ｂ．各Ｒ４はＨであり、Ｒ１、Ｒ２、Ｒ３は各々独立して、Ｈ、Ｃ１〜Ｃ３２アルキル、Ｃ１〜Ｃ３２置換アルキル、Ｃ５〜Ｃ３２若しくはＣ６〜Ｃ３２アリール、Ｃ５〜Ｃ３２若しくはＣ６〜Ｃ３２置換アリール又はＣ６〜Ｃ３２アルキルアリール、又はＣ６〜Ｃ３２置換アルキルアリール及び
【化２】
2013534554.tif 000015
からなる群から選択され、
ｎは０〜１０から選択される整数であり、
ＲｘはＲ５、
【化３】
2013534554.tif 000016
からなる群から選択され、
前記多糖中の少なくとも１つのＲｘは、
【化４】
2013534554.tif 000017
からなる群から選択される構造を有し、
Ａ−は好適なアニオンであり、
ｑは１〜４から選択される整数であり、
各Ｒ５は独立して、Ｈ、Ｃ１〜Ｃ３２アルキル、Ｃ１〜Ｃ３２置換アルキル、Ｃ５〜Ｃ３２若しくはＣ６〜Ｃ３２アリール、Ｃ５〜Ｃ３２若しくはＣ６〜Ｃ３２置換アリール、Ｃ６〜Ｃ３２アルキルアリール、Ｃ６〜Ｃ３２置換アルキルアリール、及びＯＨからなる群から選択され、
各Ｒ６は独立して、Ｈ、Ｃ１〜Ｃ３２アルキル、Ｃ１〜Ｃ３２置換アルキル、Ｃ５〜Ｃ３２若しくはＣ６〜Ｃ３２アリール、Ｃ５〜Ｃ３２若しくはＣ６〜Ｃ３２置換アリール、Ｃ６〜Ｃ３２アルキルアリール、及びＣ６〜Ｃ３２置換アルキルアリールからなる群から選択され、
各Ｔは独立して、Ｈ、
【化５】
2013534554.tif 000018
から選択され、
前記多糖中の各ｖは、１〜１０の整数であり、前記多糖中の各Ｒｘの添字ｖの和は１〜３０の整数であり、鎖中の末端
【化６】
2013534554.tif 000019
基において、Ｔは常にＨである、請求項３に記載の１回用量物品。
【請求項５】
０．０１重量％〜２０重量％、好ましくは０．１重量％〜１５重量％、より好ましくは０．６重量％〜１０重量％のカチオン性ポリマーを含む、請求項１〜４のいずれか一項に記載の１回用量物品。
【請求項６】
前記カチオン性ポリマーが粒子形態で存在する、請求項１〜５のいずれか一項に記載の１回用量物品。
【請求項７】
０．２重量％〜４０重量％、好ましくは０．５重量％〜３０重量％、より好ましくは１重量％〜２０重量％の脂肪酸又はその塩を含む、請求項１〜６のいずれか一項に記載の１回用量物品。
【請求項８】
前記非水性組成物のｐＨが、６〜１０．５、より好ましくは６．５〜９、最も好ましくは７〜８である、請求項１〜７のいずれか一項に記載の１回用量物品。
【請求項９】
前記水溶性又は水分散性フィルムが、ポリビニルアルコール、ポリビニルアルコールコポリマー、ヒドロキシプロピルメチルセルロース（ＨＰＭＣ）、及びこれらの混合物を含む、請求項１〜８のいずれか一項に記載の１回用量物品。
【請求項１０】
請求項１〜９のいずれか一項に記載の１回用量物品を調製するための方法であって、
ａ．前記カチオン性ポリマーを前記脂肪酸又は塩と予混合して、前記カチオン性ポリマー及び脂肪酸プレミックスのプレミックスを形成する工程と、
ｂ．前記カチオン性ポリマー／脂肪酸又は塩プレミックスを非水性液体フィードと組み合わせて非水性液体組成物を形成する工程と、
ｃ．前記非水性液体組成物を水溶性又は水分散性フィルムに封入する工程と、を含むことを特徴とする、方法。
【発明の詳細な説明】
【技術分野】
【０００１】
本発明は、良好な布地ケア効果をもたらす、安定な可溶性１回用量物品に関する。
【背景技術】
【０００２】
現在、消費者らは、布地ケア効果が改善された、柔軟性を向上させる、布地に生じるしわを減少させる、洗浄時の機械的損傷を減少させる、色あせを減少させる、並びに毛玉／けば立ちを減少させるなどの効果をもたらす簡単に使用できる製品を所望している。カチオン性ポリマーは布地ケア効果を改善することが当該技術分野におい既知である。したがって、カチオン性ポリマーを加えることで、液体１回用量物品が溶液に迅速に溶解しかつ容易に分散するようにすることは非常に望ましい。しかしながら、最近ではカチオン性ポリマーは、アニオン性に帯電している水溶性又は水分散性フィルムと複合体を形成し得ることから、カチオン性ポリマーを液体１回用量物品に加えることで溶解性が乏しくなることが判明している。
【発明の概要】
【発明が解決しようとする課題】
【０００３】
したがって、封入するフィルムの溶解度に干渉せずに、カチオン性ポリマーを液体１回用量物品に組み込むための手法が必要とされている。
【課題を解決するための手段】
【０００４】
本発明により、１回用量物品であって、カチオン性ポリマーと、脂肪酸又は塩と、を含む非水性液体組成物を含み、非水性液体組成物が水溶性又は水分散性フィルムに封入される、１回用量物品が提供される。本発明は、１回用量物品を調製するための方法であって、カチオン性ポリマーを脂肪酸又は塩と予混合して、カチオン性ポリマー／脂肪酸プレミックスを形成する工程と、カチオン性ポリマー／脂肪酸又は塩プレミックスを非水性液体フィードと組み合わせて非水性液体組成物を形成する工程と、非水性液体組成物を水溶性又は水分散性フィルムに封入する工程と、を含むことを特徴とする、方法も提供する。
【発明を実施するための形態】
【０００５】
本発明は、布地ケア効果を増強させることを目的としたカチオン性ポリマーの使用に関する。詳細には、使用の簡単な１回用量形態で、柔軟性の改善などの効果をいかにもたらすかに関する。本発明の１回用量物品は、カチオン性ポリマーと脂肪酸又は塩とを含む非水性組成物を、水溶性又は水分散性フィルムに封入させて含む。驚くべきことに、脂肪酸及び塩は、カチオン性ポリマーが水溶性又は水分散性フィルムと複合体を形成することを予防し、したがって、カチオン性ポリマーがフィルムの溶解性を低下させることを予防することが判明した。カチオン性ポリマーは、脂肪酸又は塩と優先的に複合体を形成すると考えられ、したがってフィルムと会合することができなくなる。
【０００６】
本明細書で使用されるすべてのパーセント、比及び割合は、別途記載のない限り、１回用量物品（適切とされる場合複数の区画をもつ物品を包含する）に封入される内容量の重量パーセントに基づくものである。つまり、封入材の重量は除外するものである。
【０００７】
１回用量物品：
カチオン性ポリマーと脂肪酸又は塩とを含む非水性液体組成物を、液体入り区画を少なくとも１つ含む１回用量物品に含有させる。液体充填区画とは、例えば衣類などの繊維を湿潤させることが可能な液体を含む１回用量物品の仕切を指す。このような１回用量物品は、カチオン性セルロースポリマー及びセルラーゼ酵素が非水性組成物に組み込まれ、水溶性又は水分散性フィルムに封入されているなどのような、単独で容易に使用することのできる剤型からなる。
【０００８】
１回用量物品は、非水性組成物を保持するのに好適な、すなわち１回用量物品を水と接触させる前に非水性組成物及び任意の追加の成分を１回用量物品から漏れさせない任意の形態、形状、及び材料であってよい。正確な実行法は、例えば、１回用量物品に含まれる組成物の種類及び量、１回用量物品に含まれる区画の数、並びに組成物又は成分の保持、保護、及び送達又は放出に必要とされる特徴に依存して決まる。
【０００９】
１回用量物品は、非水性組成物を含む少なくとも１つの内部容積が完全に密閉された、水溶性又は水分散性フィルムを含む。１回用量物品は、所望により、非水性液体及び／又は固体成分を含む追加の区画を含み得る。あるいは、任意の追加の固体成分を液体入り区画に懸濁させてもよい。化学的に不適合性の成分を分離するという理由で、又は成分の一部分を初期又は後期に洗濯水に放出させることが望ましい場合に、複数区画の１回用量形態が望ましい。
【００１０】
液体成分を含む任意の区画が気泡も含むことが好ましい場合もある。気泡は、区画の容積空間の５０％未満、好ましくは４０％未満、より好ましくは３０％未満、より好ましくは２０％未満、最も好ましくは１０％未満を占める。理論に束縛されるものではないが、気泡の存在により、区画内で液体成分が移動することに対する１回用量物品の耐性を高め、それにより区画からの液体成分の漏れリスクを低減すると考えられる。
【００１１】
水溶性又は分散性フィルム：水溶性又は分散性フィルムは、少なくとも５０％、好ましくは少なくとも７５％、より好ましくは少なくとも９５％の水溶解度を有する。フィルムの水溶解性を測定するための方法を試験方法に記載する。水溶性又は水分散性フィルムは、典型的には１００秒未満、好ましくは８５秒未満、より好ましくは７５秒未満、最も好ましくは６０秒未満の溶解時間を有する。フィルム溶解時間を測定する方法は、試験方法に記載する。
【００１２】
好ましいフィルムは、ポリマー材料、好ましくはフィルム又はシートに形成されるポリマーである。フィルムは、当該技術分野において既知のように、ポリマー材料のキャスティング、吹込成形、押出成形、又はインフレーションによって得ることができる。好ましくは、水溶性又は水分散性フィルムは、ポリマー、コポリマー又はそれらの誘導体、ポリビニルアルコール（ＰＶＡ）、ポリビニルピロリドン、ポリアルキレンオキシド、アクリルアミド、アクリル酸、セルロース、セルロースエーテル、セルロースエステル、セルロースアミド、ポリビニルアセテート、ポリカルボン酸及びその塩、ポリアミノ酸又はペプチド、ポリアミド、ポリアクリルアミド、マレイン酸／アクリル酸のコポリマー、デンプン及びゼラチンを含む多糖、キサンタン及びカラゴム、並びにこれらの混合物などの天然ゴムを含む。より好ましくは、水溶性又は水分散性フィルムは、ポリアクリレート及び水溶性アクリル酸コポリマー、メチルセルロース、カルボキシメチルセルロース、デキストリン、エチルセルロース、ヒドロキシエチルセルロース、ヒドロキシプロピルメチルセルロース、マルトデキストリン、ポリメタクリレート、並びにこれらの混合物を含む。最も好ましくは、水溶性又は水分散性フィルムは、ポリビニルアルコール、ポリビニルアルコールコポリマー、ヒドロキシプロピルメチルセルロース（ＨＰＭＣ）、及びこれらの混合物を含む。好ましくは、フィルム中のポリマー又はコポリマーの濃度は、少なくとも６０重量％である。ポリマー又は共重合体は、好ましくは１０００〜１，０００，０００、より好ましくは１０，０００〜３００，０００、更により好ましくは１５，０００〜２００，０００、及び最も好ましくは２０，０００〜１５０，０００の重量平均分子量を有する。
【００１３】
コポリマー、及びポリマー混合物を使用することもできる。このような使用は、その用途及び必要とされるニーズに応じて、区画又は１回用量物品の機械的特性及び／又は溶解特性を制御するのに特に有益であり得る。例えば、１つのポリマー材料が別のポリマー材料より高い水溶性を有することにより、及び／又は、１つのポリマー材料が別のポリマー材料より高い機械的強度を有することにより、ポリマーの混合物がフィルムに存在することが好ましい場合がある。コポリマー及びポリマーの混合物を用いることで、洗剤成分に対する水溶性又は水分散性フィルムの長期弾力性が改善されるなどの他の効果が得られる場合もある。例えば、米国特許第６，７８７，５１２号は、洗剤成分に対する弾力性を改善するための、酢酸ビニルと第２スルホン酸モノマーとの加水分解コポリマーを含むポリビニルアルコールコポリマーフィルムを開示している。このようなフィルムの一例はＭｏｎｏｓｏｌ（Ｍｅｒｒｉｌｌｖｉｌｌｅ，Ｉｎｄｉａｎａ，ＵＳ）から商品名Ｍ８９００で販売されている。異なる重量平均分子量を有するポリマーの混合物、例えば、重量平均分子量１００，０００〜４０，０００のポリビニルアルコール又はそのコポリマーと重量平均分子量１００，０００〜３００，０００の他のポリビニルアルコール又はそのコポリマーとの混合物を使用するのが好ましい場合があり得る。
【００１４】
また、例えば、ポリラクチドとポリビニルアルコールを混合することで得られる、典型的には１〜３５重量％のポリラクチドと６５〜９９重量％のポリビニルアルコールを混合することで得られる、ポリラクチドとポリビニルアルコールとの水溶性ポリマーブレンドといった、加水分解により分解できる水溶性ポリマーブレンドを含む、ポリマーブレンド組成物も有用である。フィルムに存在するポリマーは、フィルム材料の溶解性／分散性を改善するために６０％〜９８％、より好ましくは８０％〜９０％加水分解されていることが好ましい場合もある。
【００１５】
本発明では、水溶性又は水分散性フィルムは、ポリマー又はコポリマー成分以外の添加成分を含んでもよい。例えば、グリセロール、エチレングリコール、ジエチレングリコール、プロピレングリコール、ソルビトール及びこれらの混合物などの可塑剤、追加の水、及び／又は崩壊助剤を加えることが有益である場合がある。
【００１６】
他の市販の水溶性フィルムの好適な例としては、ポリビニルアルコール及び一部加水分解されたポリビニルアセテート、アルギネート、セルロースエーテル、例えばカルボキシメチルセルロース及びメチルセルロース、ポリエチレンオキシド、ポリアクリレート、及びこれらの組み合わせが挙げられる。Ｍｏｎｏｓｏｌ（Ｍｅｒｒｉｌｌｖｉｌｌｅ，Ｉｎｄｉａｎａ，ＵＳ）の参照番号Ｍ８６３０として既知のフィルムを含む、ポリビニルアルコールと同様の特性を有するフィルムが最も好ましい。
【００１７】
非水性液体組成物：
本明細書で使用するとき、「非水性液体組成物」は、２０重量％未満、好ましくは１５重量％未満、より好ましくは１２重量％未満、最も好ましくは８重量％未満の水を含む任意の液体組成物を指す。例えば、他の構成成分による持ち込みに由来する量を超える追加の水を含有しない。同様に、用語「液体」は、ゲル及びペーストなどの粘稠な形態も包含する。非水性液体には、好適に小分けすることのできる他の固体又は気体も包含され得るが、但し全く液体でない錠剤又は顆粒などの形態は除外される。
【００１８】
同様に、本発明の非水性組成物は、２重量％〜４０重量％、より好ましくは５重量％〜２５重量％の非水性溶媒も含み得る。本明細書で使用するとき、「非水性有機溶媒」は、アミノ官能基を全く含まない任意の有機溶媒を指す。好ましい非水性有機溶媒としては、一価アルコール、二価アルコール、多価アルコール、グリセロール、ポリエチレングリコールなどのポリアルキレングリコールが挙げられるグリコール、及びこれらの混合物が挙げられる。より好ましい非水性溶媒としては、一価アルコール、二価アルコール、多価アルコール、グリセロール、及びこれらの混合物が挙げられる。極めて好ましいものは、溶媒の混合物、特に、エタノール、プロパノール、ブタノール、イソプロパノールなどの低級脂肪族アルコール、１，２−プロパンジオール又は１，３−プロパンジオールなどのジオール、及びグリセロールのうちの２つ以上の混合物である。同様に好ましいのは、プロパンジオール、及びジエチレングリコールとプロパンジオールとの混合物であり、その場合、混合物はメタノール又はエタノールを含有しない。したがって、本発明の非水性液体組成物の実施形態には、プロパンジオールは使用されるがメタノール及びエタノールは使用されない実施形態が含まれ得る。
【００１９】
好ましい非水性溶媒は周囲温度及び周囲圧力（すなわち、２１℃かつ０．１ＭＰａ（１気圧））にて液体であり、炭素、水素及び酸素を含む。非水性溶媒は、プレミックス調製時に、又は最終非水性組成物中に存在し得る。
【００２０】
カチオン性ポリマー：
本発明の１回用量物品には、０．０１重量％〜２０重量％、好ましくは０．１重量％〜１５重量％、より好ましくは０．６重量％〜１０重量％のカチオン性ポリマーを含み得る。
【００２１】
カチオン性ポリマーは、非水性液体組成物のｐＨ下で好ましくは０．００５〜２３、より好ましくは０．０１〜１２、最も好ましくは０．１〜７ミリ当量／ｇのカチオン電荷密度を有する。電荷密度は、繰り返し単位当たりの正味電荷数を、繰り返し単位の分子量で除することにより計算される。正電荷は、ポリマーの主鎖上及び／又はポリマーの側鎖上に配置され得る。
【００２２】
同様に、用語「カチオン性ポリマー」には、非水性組成物のｐＨ下で正味カチオン性電荷を有する両性ポリマーが包含される。好適なカチオン性ポリマーの非限定例としては、多糖、タンパク質及び合成ポリマーが挙げられる。カチオン性多糖としては、カチオン性セルロース誘導体、カチオン性グアーガム誘導体、キトサン及び誘導体、並びにカチオン性デンプンが挙げられる。好適なカチオン性多糖としては、カチオン変性セルロース、特にカチオン性ヒドロキシエチルセルロース及びカチオン性ヒドロキシプロピルセルロースが挙げられる。本明細書に用いるのに好ましいカチオン性セルロースは、疎水性改質されていても、されていなくてもよく、疎水性改質されたカチオン性セルロースとしては、分子量５０，０００〜２，０００，０００、より好ましくは１００，０００〜１，０００，０００、及び最も好ましくは２００，０００〜８００，０００の疎水性置換基を有するものが挙げられる。これらのカチオン性物質は、次の一般構造式Ｉに従う、置換型の無水グルコース反復単位を有する。
【化１】
2013534554.tif 000002
（式中、
ａ．ｍは２０〜１０，０００の整数であり、
ｂ．各Ｒ４はＨであり、かつＲ１、Ｒ２、Ｒ３は各々独立して、Ｈ、Ｃ１〜Ｃ３２アルキル、Ｃ１〜Ｃ３２置換アルキル、Ｃ５〜Ｃ３２若しくはＣ６〜Ｃ３２アリール、Ｃ５〜Ｃ３２若しくはＣ６〜Ｃ３２置換アリール、又はＣ６〜Ｃ３２アルキルアリール、又はＣ６〜Ｃ３２置換アルキルアリール及び
【化２】
2013534554.tif 000003
からなる群から選択される）。好ましくは、Ｒ１、Ｒ２、Ｒ３は各々独立して、Ｈ、及びＣ１〜Ｃ４アルキルからなる群から選択される
（式中、
ｎは０〜１０から選択される整数であり、
ＲｘはＲ５、
【化３】
2013534554.tif 000004
からなる群から選択され、
式中、前記多糖類に含まれる少なくとも１つのＲｘは、
【化４】
2013534554.tif 000005
からなる群から選択される構造を取り、
Ａ−は好適なアニオンである）。好ましくは、Ａ−は、Ｃｌ−、Ｂｒ−、Ｉ−、メチルスルファート、エチルスルファート、トルエンスルホネート、カルボキシレート、及びホスフェートからなる群から選択され、
Ｚはカルボキシレートホスフェート、ホスホネート、及びサルフェートからなる群から選択され、
ｑは１〜４から選択される整数であり、
各Ｒ５は、Ｈ、Ｃ１〜Ｃ３２アルキル、Ｃ１〜Ｃ３２置換アルキル、Ｃ５〜Ｃ３２若しくはＣ６〜Ｃ３２アリール、Ｃ５〜Ｃ３２若しくはＣ６〜Ｃ３２置換アリール、Ｃ６〜Ｃ３２アルキルアリール、Ｃ６〜Ｃ３２置換アルキルアリール、及びＯＨからなる群から独立して選択される）。好ましくは、各Ｒ５は、Ｈ、Ｃ１〜Ｃ３２アルキル、及びＣ１〜Ｃ３２置換アルキルからなる群から選択される。より好ましくは、Ｒ５は、Ｈ、メチル、及びエチルからなる群から選択される。
【００２３】
各Ｒ６は、Ｈ、Ｃ１〜Ｃ３２アルキル、Ｃ１〜Ｃ３２置換アルキル、Ｃ５〜Ｃ３２若しくはＣ６〜Ｃ３２アリール、Ｃ５〜Ｃ３２若しくはＣ６〜Ｃ３２置換アリール、Ｃ６〜Ｃ３２アルキルアリール、及びＣ６〜Ｃ３２置換アルキルアリールからなる群から独立して選択される。好ましくは、各Ｒ６は、Ｈ、Ｃ１〜Ｃ３２アルキル、及びＣ１〜Ｃ３２置換アルキルからなる群から選択される。
【００２４】
各Ｔは独立してＨ、
【化５】
2013534554.tif 000006
から選択され、
上記多糖中の各ｖは１〜１０の整数である。好ましくは、ｖは１〜５の整数である。上記多糖中の各Ｒｘの添字ｖの総合計は１〜３０の整数であり、より好ましくは１〜２０、更により好ましくは１〜１０である。鎖中の最後の
【化６】
2013534554.tif 000007
基において、Ｔは常にＨである。
【００２５】
ポリマーの無水グルコース環上のアルキル置換の程度は、高分子物質に含まれるグルコース単位１個当り約０．０１％〜５％であり、より好ましくはグルコース単位１個当り約０．０５％〜２％である。
【００２６】
周囲温度下で水に加えられる場合、カチオン性セルロースは、集合体、小塊又はその他の凝集塊の形成を防ぐためにもグリオキシルなどのジアルデヒドにより軽度に架橋されていてよい。
【００２７】
構造式Ｉのカチオン性セルロースエーテルには、同様に、市販のものが包含され、市販物質を従来の化学修飾によって調製できる物質が更に包含される。構造式Ｉを有する市販のセルロースエーテルの例としては、ＩＮＣＩ名ポリクアテルニウム１０（商標名Ｕｃａｒｅ  Ｐｏｌｙｍｅｒ  ＪＲ  ３０Ｍ、ＪＲ  ４００、ＪＲ  １２５、ＬＲ  ４００及びＬＫ  ４００ポリマーとして市販されるものなど）；ポリクアテルニウム６７（商標名Ｓｏｆｔｃａｔ  ＳＫ（商標）として市販されるものなど）（これらのすべてはＡｍｅｒｃｈｏｌ  Ｃｏｒｐｏｒａｔｉｏｎ（Ｅｄｇｅｗａｔｅｒ  ＮＪ）により市販）；並びにポリクアテルニウム４（商標名Ｃｅｌｑｕａｔ  Ｈ２００及びＣｅｌｑｕａｔ  Ｌ−２００としてＮａｔｉｏｎａｌ  Ｓｔａｒｃｈ  ａｎｄ  Ｃｈｅｍｉｃａｌ  Ｃｏｍｐａｎｙ（Ｂｒｉｄｇｅｗａｔｅｒ，ＮＪ）から入手可能）が挙げられる。他の好適な多糖としては、グリシジルＣ１２〜Ｃ２２アルキルジメチルアンモニウムクロリドで四級化されたヒドロキシエチルセルロース又はヒドロキシプロピルセルロースが挙げられる。このような多糖の例としては、商品名クオタニウムＬＭ  ２００でＡｍｅｒｃｈｏｌ  Ｃｏｒｐｏｒａｔｉｏｎ（Ｅｄｇｅｗａｔｅｒ  ＮＪ）から市販のＩＮＣＩ名称ポリクアテルニウム２４のポリマー、Ｄ．Ｂ．Ｓｏｌａｒｅｋにより、「Ｍｏｄｉｆｉｅｄ  Ｓｔａｒｃｈｅｓ、Ｐｒｏｐｅｒｔｉｅｓ  ａｎｄ  Ｕｓｅｓ」（ＣＲＣ  Ｐｒｅｓｓにより出版，１９８６年）並びに米国特許第７，１３５，４５１号、第２段落、第３３行〜第４段落第６７行に記載のカチオン性デンプンが挙げられる。好適なカチオン性ガラクトマンナンとしては、カチオン性グアーガム又はカチオン性ローカストビーンガムが挙げられる。カチオン性グアーガムの一例は、商品名：Ｊａｇｕａｒ  Ｃ１３及びＪａｇｕａｒ  ＥｘｃｅｌでＲｈｏｄｉａ（Ｃｒａｎｂｕｒｙ  ＮＪ）から、並びにＮ−ＨａｎｃｅでＡｑｕａｌｏｎ（Ｗｉｌｍｉｎｇｔｏｎ，ＤＥ）から市販されるものなどの、ヒドロキシプロピルグアーの第四級アンモニウム誘導体が挙げられる。
【００２８】
合成カチオン性ポリマーもカチオン性ポリマーとして有用である。合成ポリマーとしては、合成により重合された、次式を有するポリマーが挙げられる：
【化７】
2013534554.tif 000008
式中、各Ｒ１は独立して、水素、Ｃ１〜Ｃ１２アルキル、置換又は非置換フェニル、置換又は非置換ベンジル、−ＯＲａ、又は−Ｃ（Ｏ）ＯＲａであってよく、Ｒａは、水素、Ｃ１〜Ｃ２４アルキル、及びこれらの組み合わせからなる群から選択される。Ｒ１は、好ましくは、水素、Ｃ１〜Ｃ４アルキル、又は−ＯＲａ、又は−Ｃ（Ｏ）ＯＲａであり、
式中、各Ｒ２は、水素、ヒドロキシル、ハロゲン、Ｃ１〜Ｃ１２アルキル、−ＯＲａ、置換又は非置換フェニル、置換又は非置換ベンジル、炭素環、複素環、及びこれらの組み合わせからなる群から独立して選択される。Ｒ２は、好ましくは、水素、Ｃ１〜Ｃ４アルキル、及びこれらの組み合わせからなる群から選択される。
【００２９】
各Ｚは独立して、水素、ハロゲン、直鎖又は分枝鎖Ｃ１〜Ｃ３０アルキル、ニトリロ、Ｎ（Ｒ３）２−Ｃ（Ｏ）Ｎ（Ｒ３）２、−ＮＨＣＨＯ（ホルムアミド）、−ＯＲ３、−Ｏ（ＣＨ２）ｎＮ（Ｒ３）２、−Ｏ（ＣＨ２）ｎＮ＋（Ｒ３）３Ｘ−、−Ｃ（Ｏ）ＯＲ４、−Ｃ（Ｏ）Ｎ−（Ｒ３）２、−Ｃ（Ｏ）Ｏ（ＣＨ２）ｎＮ（Ｒ３）２、−Ｃ（Ｏ）Ｏ（ＣＨ２）ｎＮ＋（Ｒ３）３Ｘ−、−ＯＣＯ（ＣＨ２）ｎＮ（Ｒ３）２、−ＯＣＯ（ＣＨ２）ｎＮ＋（Ｒ３）３Ｘ−、−Ｃ（Ｏ）ＮＨ−（ＣＨ２）ｎＮ（Ｒ３）２、−Ｃ（Ｏ）ＮＨ（ＣＨ２）ｎＮ＋（Ｒ３）３Ｘ−、−（ＣＨ２）ｎＮ（Ｒ３）２、−（ＣＨ２）ｎＮ＋（Ｒ３）３Ｘ−であってよい。
【００３０】
各Ｒ３は、独立して、水素、Ｃ１〜Ｃ２４アルキル、Ｃ２〜Ｃ８ヒドロキシアルキル、ベンジル、置換ベンジル、及びこれらの組み合わせからなる群から選択されてよく、
各Ｒ４は、独立して、水素、Ｃ１〜Ｃ２４アルキル、
【化８】
2013534554.tif 000009
及びこれらの組み合わせからなる群から選択されてよい。
【００３１】
Ｘは水溶性アニオンであってよい。ｎは１〜６であってよい。
【００３２】
Ｒ５は、独立して水素、Ｃ１〜Ｃ６アルキル、及びこれらの組み合わせからなる群から選択されてよい。
【００３３】
構造式ＩＩからのＺも、第四級アンモニウムイオンを含有している非芳香族窒素複素環、Ｎ−酸化物部分を含有している複素環、芳香族窒素を含有している複素環、及びこれらの組み合わせからなる群から選択されてよく、窒素原子のうち１個以上は四級化され、芳香族窒素を含有している複素環では少なくとも１個の窒素はＮ−酸化物であってよい。複素環式Ｚ単位を含有する追加の重合性モノマーの非限定例としては、１−ビニル−２−ピロリジノン、１−ビニルイミダゾール、四級化ビニルイミダゾール、２−ビニル−１，３−ジオキソラン、４−ビニル−１−シクロヘキセン１，２−エポキシド、並びに２−ビニルピリジン、２−ビニルピリジンＮ−オキシド、４−ビニルピリジン４−ビニルピリジンＮ−オキシドが挙げられる。
【００３４】
カチオン性電荷をその場に生成することのできるＺ単位の非限定例は−ＮＨＣＨＯ単位（ホルムアミド）であり得る。配合者は、ホルムアミド単位を含むポリマー又はコポリマーを調製し、続いてこの単位のうち一部を加水分解してビニルアミン等価物を形成することができる。
【００３５】
ポリマー又はコポリマーには、周期的に重合するモノマーから誘導される環状ポリマー単位を１つ以上含有させてもよい。周期的に重合するモノマーの一例は、次式を有するジメチルジアリルアンモニウムである：
【化９】
2013534554.tif 000010
【００３６】
好適なコポリマーは、Ｎ，Ｎ−ジアルキルアミノアルキルメタクリレート、Ｎ，Ｎ−ジアルキルアミノアルキルアクリレート、Ｎ，Ｎ−ジアルキルアミノアルキルアクリルアミド、Ｎ，Ｎ−ジアルキルアミノアルキルメタクリルアミド、四級化Ｎ，Ｎ−ジアルキルアミノアルキルメタクリレート、四級化Ｎ，Ｎ−ジアルキルアミノアルキルアクリレート、四級化Ｎ，Ｎ−ジアルキルアミノアルキルアクリルアミド、四級Ｎ，Ｎ−ジアルキルアミノアルキルメタクリルアミド、ビニルアミン及びその誘導体、アリルアミン及びその誘導体、ビニルイミダゾール、四級ビニルイミダゾール及びジアリルジアルキルアンモニウムクロリド、及びこれらの組み合わせからなる群から選択される１つ以上のカチオン性モノマーと、所望によりアクリルアミド、Ｎ，Ｎ−ジアルキルアクリルアミド、メタクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、ポリアルキレングリコールアクリレート、Ｃ１〜Ｃ１２アルキルメタクリレート、Ｃ１〜Ｃ１２ヒドロキシアルキルメタクリレート、ポリアルキレングリコールメタクリレート、酢酸ビニル、ビニルアルコール、ビニルホルムアミド、ビニルアセトアミド、ビニルアルキルエーテル、ビニルピリジン、ビニルピロリドン、ビニルイミダゾール及び誘導体、アクリル酸、メタクリル酸、マレイン酸、ビニルスルホン酸、スチレンスルホン酸、アクリルアミドプロピルメタンスルホン酸（ＡＭＰＳ）及びこれらの塩、及びこれらの組み合わせからなる群から選択される第２モノマーとから製造することができる。ポリマーは、場合により架橋されていてもよい。好適な架橋モノマーとしては、エチレングリコールジアクリレート、ジビニルベンゼン、ブタジエンが挙げられる。
【００３７】
特定の実施形態では、合成ポリマーは、ポリ（アクリルアミド−コ−ジアリルジメチルアンモニウムクロリド）、ポリ（アクリルアミド−メタクリルアミドプロピルトリメチルアンモニウムクロリド）、ポリ（アクリルアミド−コ−Ｎ，Ｎ−ジメチルアミノエチルメタクリレート）、ポリ（アクリルアミド−コ−Ｎ，Ｎ−ジメチルアミノエチルメタクリレート）、ポリ（ヒドロキシエチルアクリレート−コ−ジメチルアミノエチルメタクリレート）、ポリ（ヒドロキシプロピルアクリレート−コ−ジメチルアミノエチルメタクリレート）、ポリ（ヒドロキシプロピルアクリレート−コ−メタクリルアミドプロピルトリメチルアンモニウムクロリド）、ポリ（アクリルアミド−コ−ジアリルジメチルアンモニウムクロリド−コ−アクリル酸）、ポリ（アクリルアミド−メタクリルアミドプロピルトリメチルアンモニウムクロリド−コ−アクリル酸）である。他の好適な合成ポリマーの例は、ポリクアテルニウム−１、ポリクアテルニウム−５、ポリクアテルニウム−６、ポリクアテルニウム−７、ポリクアテルニウム−８、ポリクアテルニウム−１１、ポリクアテルニウム−１４、ポリクアテルニウム−２２、ポリクアテルニウム−２８、ポリクアテルニウム−３０、ポリクアテルニウム−３２、及びポリクアテルニウム−３３である。他のカチオン性ポリマーとしては、ポリエチレンアミン及びその誘導体、並びにポリアミドアミン−エピクロロヒドリン（ＰＡＥ）樹脂が挙げられる。一態様では、ポリエチレン誘導体は商品名Ｌｕｐａｓｏｌ  ＳＫで市販のポリエチレンイミンのアミド誘導体であってよい。同様に、アルコキシル化ポリエチレンイミン、アルキルポリエチレンイミン及び四級ポリエチレンイミンが挙げられる。これらのポリマーは、Ｗｅｔ  Ｓｔｒｅｎｇｔｈ  ｒｅｓｉｎｓ  ａｎｄ  ｔｈｅｉｒ  ａｐｐｌｉｃａｔｉｏｎｓ（Ｌ．Ｌ．Ｃｈａｎ編，ＴＡＰＰＩ  Ｐｒｅｓｓ（１９９４））に記載されている。ポリマーの重量平均分子量は、分子ふるいクロマトグラフィーを用い、ＲＩ検出によりポリエチレンオキシド標準に対して測定した場合に、概して１０，０００〜５，０００，０００、又は１００，０００〜２００，０００、又は２００，０００〜１，５００，０００ダルトンであり得る。使用する移動相は、０．４モルのＭＥＡ、０．１モルのＮａＮＯ３、３％の酢酸の２０％メタノール溶液であり、Ｗａｔｅｒｓ  Ｌｉｎｅａｒ  Ｕｌｔｒａｈｄｙｒｏｇｅｌカラムを２本直列に接続させて用いる。カラム及び検出器は４０℃に保持する。流量は０．５ｍＬ／分に設定する。
【００３８】
カチオン性ポリマーと水溶性又は水分散性フィルムとの間の任意の相互作用を更に減少させるために、非水性液体組成物には粒子形態で存在するカチオン性ポリマーを含ませてもよい。すなわち、カチオン性ポリマーは、非水性液体組成物に不溶性であり、あるいは非水性液体組成物に完全には溶解しない。好適な微粒子形態としては、水及び／又は他の溶媒を全く含まない固体が挙げられるが、一部水和及び／又は溶媒和されている固体も包含される。一部水和又は溶媒和されている粒子とは、粒子を完全に可溶化させるには不十分な程度に水及び／又は他の溶媒を含む粒子である。カチオン性ポリマーを一部水和及び／又は溶媒和させる利点は、凝集形態で存在する場合にケーキ化する強度が低くなり、再分散が容易になるということである。このような水和又は溶媒和粒子は、概して０．５％〜５０％、好ましくは１％〜２０％の水又は溶媒である。水が好ましいものの、カチオン性ポリマーを一部溶媒和させることのできる任意の溶媒を使用してもよい。カチオン性ポリマー粒子は、好ましくは可能な限り小さい。好適な粒子の面積平均Ｄ９０径は、３００マイクロメートル未満、好ましくは２００マイクロメートル未満、より好ましくは１５０マイクロメートル未満である。面積平均Ｄ９０径は、粒子のうちの９０％が、Ｄ９０径をもつ円の面積よりも小さい面積をもつものとして定義される。粒径の測定法は、試験方法に記載する。
【００３９】
脂肪酸：
カチオン性ポリマーに加えて、１回用量物品の非水性組成物は、０．２重量％〜４０重量％、好ましくは０．５重量％〜３０重量％、より好ましくは１重量％〜２０重量％の脂肪酸又はその塩を含み得る。好適な脂肪酸及び塩としては、次式を有するものが挙げられる：
Ｒ１ＣＯＯＭ
（式中、Ｒ１は４〜３０個炭素原子を含有している一級又は二級アルキル基であり、かつＭは水素カチオン又はその他の可溶性カチオンである）。酸（式中、Ｍは水素カチオンである）が好適であるものの、塩の方がカチオン性ポリマーに対しより親和性が大きいことから、塩も好ましい。したがって、脂肪酸又は塩は、好ましくは、脂肪酸又は塩のｐＫａが非水性液体組成物のｐＨ未満になるように選択される。この理由から、非水性組成物のｐＨは、好ましくは６〜１０．５、より好ましくは６．５〜９、最も好ましくは７〜８である。
【００４０】
Ｒ１により表されるアルキル基は、鎖長に関して混合物を表してよく、飽和又は不飽和であってよいものの、好ましくはＲ１基の鎖のうち少なくとも２／３は炭素原子を８〜１８個含有する。好適なアルキル基源の非限定例としては、ココヤシ油、タロー、トール油及びパーム核油から誘導される脂肪酸が挙げられる。しかしながら、多くの場合、臭気を最小限に抑える目的で、主に飽和カルボン酸が使用されることが望ましい。可溶化カチオンのＭは、水溶性を付与する任意のカチオンであってよいものの、概して一価のカチオンが好ましい。本発明に使用するのに許容可能な可溶性カチオンの例としては、ナトリウム及びカリウムなどのアルカリ金属が特に好ましく、トリエタノールアンモニウム、アンモニウム及びモルホリニウムなどのアミンも挙げられる。使用する場合には、脂肪酸の大部分は中和された塩形態で非水性組成物に組み込まれるものの、非水性組成物の粘度維持を補助し得ることから、多くの場合、組成物中にある程度の量の遊離脂肪酸が残っていることが好ましい。
【００４１】
脂肪酸又は塩が、カチオン性ポリマーと水溶性又は水分散性フィルムとの複合体形成を予防する能力は、脂肪酸濃度に依存する。脂肪酸がわずかにしか存在しないか又は全く存在しない場合、すべてのカチオン性ポリマーが水溶性又は水分散性フィルムと複合体を形成し得ることになる。このようなフィルムの溶解性は乏しいことから、洗浄後に布地上に望ましくないフィルム残渣が生じることになる。非水性液体組成物の脂肪濃度が高い場合、フィルムは非常に容易に溶解し、濡れた手又は表面と接触した直後に溶解し始める場合さえある。
【００４２】
したがって、脂肪酸濃度を調節することで、フィルムの溶解性を調整することができる。例えば、どの程度容易に封入フィルムを溶解させるかということと、濡れた手及び表面への接触に起因する漏れによる影響の受けやすさとを調整する。加えて、このような手法を介し、低価格で、より溶解性の高いフィルムなどの、広範囲のフィルムを本発明の１回用量物品に利用することができる。濡れた手及び表面と接触した場合に漏れ易く、面倒な残渣を残しやすいことから、このようなフィルムは通常容認されない。しかしながら、カチオン性ポリマーを含む１回用量物品に関するフィルムの溶解性は脂肪酸濃度により調整できることから、濡れた手及び表面との接触による漏れ及び面倒な残渣に関する問題は排除することができる。
【００４３】
洗濯助剤：
本発明の１回用量物品は、アニオン性及び非イオン性界面活性剤、追加の界面活性剤、酵素、酵素安定剤、両親媒性アルコキシル化グリース洗浄ポリマー、粘土汚れ洗浄ポリマー、汚れ遊離ポリマー、汚れ懸濁ポリマー、漂白系、蛍光増白剤、色相染料、分散粒子、香料及び他の臭気制御剤、ヒドロトロープ、抑泡剤、布地ケア有益剤、ｐＨ調整剤、移染防止剤、保存料、非織物直接染料及びこれらの混合物からなる群から選択される従来の洗濯洗剤成分を含んでよい。使用することのできる一部の追加成分を、以下の通りに更に詳細に記載する：
アニオン性及び非イオン性界面活性剤：本発明の１回用量物品は、１重量％〜７０重量％、好ましくは１０重量％〜５０重量％、及びより好ましくは１５重量％〜４５重量％のアニオン性及び／又は非イオン性界面活性剤を含んでもよい。
【００４４】
本発明の１回用量物品は、好ましくは、１〜７０重量％、より好ましくは５〜５０重量％の１種以上のアニオン性界面活性剤を含む。好ましいアニオン性界面活性剤は、Ｃ１１〜Ｃ１８アルキルベンゼンスルホン酸塩、Ｃ１０〜Ｃ２０分枝鎖及びランダムアルキル硫酸塩、Ｃ１０〜Ｃ１８アルキルエトキシ硫酸塩、中鎖分枝状アルキル硫酸塩、中鎖分枝状アルキルアルコキシ硫酸塩、１〜５エトキシ単位を含むＣ１０〜Ｃ１８アルキルアルコキシカルボン酸塩、変性アルキルベンゼンスルホン酸塩、Ｃ１２〜Ｃ２０メチルエステルスルホン酸塩、Ｃ１０〜Ｃ１８  α−オレフィンスルホン酸塩、Ｃ６〜Ｃ２０スルホコハク酸塩、及びこれらの混合物からなる群から選択される。しかしながら、Ｗ．Ｍ．Ｌｉｎｆｉｅｌｄ，Ｍａｒｃｅｌ  Ｄｅｋｋｅｒ編「Ｓｕｒｆａｃｔａｎｔ  Ｓｃｉｅｎｃｅ  Ｓｅｒｉｅｓ」、Ｖｏｌ．７に開示されるものなどの、洗剤組成物の技術分野において既知の各アニオン性界面活性剤を本質的に使用することができる。しかしながら、本発明の１回用量物品は、好ましくは、少なくとも１種のスルホン酸系界面活性剤（例えば線状アルキルベンゼンスルホン酸など）、又は水溶性の塩形態を含む。
【００４５】
本明細書に用いるのに好適なアニオン性スルホン酸塩又はスルホン酸界面活性剤としては、酸及び塩形態の、直鎖又は分岐鎖のＣ５〜Ｃ２０、より好ましくはＣ１０〜Ｃ１６、最も好ましくはＣ１１〜Ｃ１３アルキルベンゼンスルホン酸塩、Ｃ５〜Ｃ２０アルキルエステルスルホン酸塩、Ｃ６〜Ｃ２２一級又は二級アルカンスルホン酸塩、Ｃ５〜Ｃ２０スルホン化ポリカルボン酸、及びこれらの混合物が挙げられる。上記界面活性剤は、２−フェニル異性体含有率が幅広く異なり得る。本発明の組成物に使用するのに好適なアニオン性硫酸塩としては、９〜２２個の炭素原子、より好ましくは１２〜１８個の炭素原子を有する直鎖又は分岐鎖アルキル又はアルケニル部分を有する、一級及び二級アルキル硫酸塩；β−分枝状アルキルサルフェート界面活性剤；及びこれらの混合物が挙げられる。中鎖分岐アルキル硫酸塩又はスルホン酸塩もまた、本発明の組成物に使用するのに好適なアニオン性界面活性剤である。好ましいものはＣ５〜Ｃ２２の、好ましくはＣ１０〜Ｃ２０の中鎖分岐アルキル一級硫酸塩である。混合物を使用する場合、アルキル部分の炭素原子の好適な平均合計数は、好ましくは１４．５〜１７．５の範囲内である。好ましいモノ−メチル−分岐型一級アルキル硫酸塩は、３−メチル〜１３−メチルペンタデカノール硫酸塩、対応するヘキサデカノール硫酸塩、及びこれらの混合物からなる群から選択される。ジメチル誘導体、又は軽度に分岐を有する他の生分解性のアルキル硫酸塩も同様に使用することができる。本明細書での使用に好適な他のアニオン性界面活性剤としては、脂肪族メチルエステルスルホン酸塩及び／又はアルキルエトキシ硫酸塩（ＡＥＳ）及び／又はアルキルポリアルコキシル化カルボン酸塩（ＡＥＣ）が挙げられる。アニオン性界面活性剤の混合物を使用することもできる（例えば、アルキルベンゼンスルホン酸塩とＡＥＳとの混合物）。
【００４６】
アニオン性界面活性剤は、典型的にはアルカノールアミン又はアルカリ金属（ナトリウム及びカリウムなど）との塩形態で存在する。好ましくは、モノエタノールアミン又はトリエタノールアミンなどのアニオン性界面活性剤はアルカノールアミンで中和され、非水性液体組成物に完全に可溶性である。
【００４７】
本発明の１回用量物品には、１〜７０％、好ましくは５〜５０％の非イオン性界面活性剤を含んでもよい。好適な非イオン性界面活性剤としては、いわゆるピークの狭いアルキルエトキシレートを含むＣ１２〜Ｃ１８アルキルエトキシレート（「ＡＥ」）、Ｃ６〜Ｃ１２アルキルフェノールアルコキシレート（特にエトキシレート及びエトキシレート／プロポキシレート混合物）、Ｃ６〜Ｃ１２アルキルフェノールのブロック型アルキレンオキシド縮合体、Ｃ８〜Ｃ２２アルカノールのアルキレンオキシド縮合体、及びエチレンオキシド／プロピレンオキシドブロックポリマー（Ｐｌｕｒｏｎｉｃ（登録商標）−ＢＡＳＦ  Ｃｏｒｐ．）、並びに半極性の非イオン性物質（例えば、アミンオキシド及びホスフィンオキシド）が挙げられるが、これらに限定されない。好適な非イオン性界面活性剤の広範囲にわたる開示は、米国特許第３，９２９，６７８号に見出すことができる。
【００４８】
米国特許第４，５６５，６４７号に開示されているようなアルキル多糖もまた本発明の組成物で有用な非イオン性界面活性剤である。アルキルポリグルコシド界面活性剤もまた好適である。一部の実施形態では、好適な非イオン性界面活性剤としては、式Ｒ１（ＯＣ２Ｈ４）ｎＯＨのものが挙げられ、式中、Ｒ１は、Ｃ１０〜Ｃ１６アルキル基又はＣ８〜Ｃ１２アルキルフェニル基であり、ｎは３〜８０である。一部の実施形態では、非イオン性界面活性剤は、アルコール１モル当たり５〜２０モルのエチレンオキシドとＣ１２〜Ｃ１５アルコール、例えば、アルコール１モル当たり６．５モルのエチレンオキシドとＣ１２〜Ｃ１３アルコール、の縮合生成物であってもよい。別の好適な非イオン性界面活性剤としては、次の式のポリヒドロキシ脂肪酸アミドが挙げられる。
【化１０】
2013534554.tif 000011
式中、ＲはＣ９〜Ｃ１７アルキル又はアルケニルであり、Ｒ１はメチル基であり、Ｚは還元糖又はそのアルコキシル化誘導体由来のグリシジルである。実施例としては、Ｎ−メチルＮ−１−デオキシグリシチルココアミド及びＮ−メチルＮ−１−デオキシグリシチルオレアミドが挙げられる。
【００４９】
追加の界面活性剤：本発明の１回用量物品は、アニオン性、カチオン性、非イオン性、両性及び／又は双極性イオン性界面活性剤及びこれらの混合物からなる群から選択された追加の界面活性剤を含んでもよい。
【００５０】
好適なカチオン性界面活性剤は、水溶性、水分散性、又は非水溶性であり得る。このようなカチオン性界面活性剤は、少なくとも１個の四級化窒素と、少なくとも１個の長鎖ヒドロカルビル基を有する。２個、３個又は更には４個の長鎖ヒドロカルビル基を含む化合物もまた含まれる。例としては、Ｃ１２アルキルトリメチルアンモニウムクロリドなどのアルキルトリメチルアンモニウム塩、又はそれらのヒドロキシアルキル置換された類似体が挙げられる。本発明は、カチオン性界面活性剤を１％以上含んでよい。
【００５１】
１回用量物品に使用するのに好適な両性洗浄界面活性剤としては、脂肪族二級及び三級アミンの誘導体として幅広く記載される界面活性剤が挙げられ、この界面活性剤では、脂肪族ラジカルは直鎖又は分枝鎖であってよく、かつ脂肪族置換基のうちの１つは８〜１８個の炭素原を含有し、１つはカルボキシ、スルホネート、サルフェート、ホスフェート又はホスホネートのようなアニオン性基を含有する。本発明での使用に好適な両性洗浄界面活性剤としては、限定するものではないが：ココアンホアセテート、ココアンホジアセテート、ラウロアンホアセテート、ラウロアンホジアセテート、及びこれらの混合物が挙げられる。
【００５２】
本発明の１回用量物品で用いるのに好適な双極性イオン洗浄性界面活性剤は当該技術分野において周知であり、脂肪族第四級アンモニウム、ホスホニウム、及びスルホニウム化合物の誘導体として広く記述される界面活性剤が挙げられ、脂肪族ラジカルは直鎖又は分枝鎖であることができ、脂肪族置換基の１つは８〜１８個の炭素原子を含有し、１つはカルボキシ、スルホネート、サルフェート、ホスフェート又はホスホネートのようなアニオン性基を含有する。ベタインなどの双極性イオン性界面活性剤もまた、本発明に好適である。更に、以下の式を有するアミンオキシド界面活性剤もまた本発明の組成物に有用である：Ｒ（ＥＯ）ｘ（ＰＯ）ｙ（ＢＯ）ｚＮ（Ｏ）（ＣＨ２Ｒ’）２・ｑＨ２Ｏ。Ｒは、飽和又は不飽和の、線状又は分岐鎖であることができる比較的長鎖のヒドロカルビル部分であり、８〜２０個、好ましくは１０〜１６個の炭素原子を含有することができ、より好ましくはＣ１２〜Ｃ１６一級アルキルである。Ｒ’は短鎖部分であり、好ましくは水素、メチル及び−ＣＨ２ＯＨから選択される。ｘ＋ｙ＋ｚが０ではない場合、ＥＯはエチレンオキシ、ＰＯはプロピレンオキシ、ＢＯはブチレンオキシである。アミンオキシド界面活性剤は、Ｃ１２〜Ｃ１４アルキルジメチルアミンオキシドで示される。
【００５３】
本組成物に用いるのに好適な他のアニオン性、双性イオン性、両性、又は任意の追加の界面活性剤の非限定的な例は、ＭｃＣｕｔｃｈｅｏｎ’ｓ，Ｅｍｕｌｓｉｆｉｅｒｓ  ａｎｄ  Ｄｅｔｅｒｇｅｎｔｓ（１９８９年刊，Ｍ．Ｃ．Ｐｕｂｌｉｓｈｉｎｇ  Ｃｏ．出版）、並びに米国特許第３，９２９，６７８号、同第２，６５８，０７２号、同第２，４３８，０９１号、同第２，５２８，３７８号に記載されている。
【００５４】
酵素：本発明の１回用量物品は、クリーニング性能及び／又は布地ケア効果をもたらす洗浄用酵素を０．０００１重量％〜８重量％含み得る。このような組成物は、６〜１０．５の組成物ｐＨを有することが好ましい。好適な酵素は、リパーゼ、プロテアーゼ、アミラーゼ、セルラーゼ、ペクチン酸リアーゼ、キシログルカナーゼ、及びこれらの混合物からなる群から選択される。好ましい酵素の組み合わせは、リパーゼ、プロテアーゼ、セルラーゼ及びアミラーゼなどの従来の洗浄性酵素の混合物を含む。洗浄性酵素は、米国特許第６，５７９，８３９号でより詳細に記載されている。
【００５５】
酵素安定剤：酵素は、カルシウム及び／又はマグネシウム化合物、ホウ素化合物及び置換されたホウ酸、芳香族ホウ酸エステル、ペプチド及びペプチド誘導体、ポリオール、低分子量カルボン酸塩、比較的疎水性の有機化合物［例えば、特定のエステル、ジアルキルグリコールエーテル、アルコール、又はアルコールアルコキシレート］、カルシウムイオン源に加えてアルキルエーテルカルボン酸塩、ベンズアミジン次亜塩素酸塩、低脂肪族アルコール及びカルボン酸、Ｎ，Ｎ−ビス（カルボキシメチル）セリン塩；（メタ）アクリル酸−（メタ）アクリル酸エステルコポリマー及びＰＥＧ；リグニン化合物、ポリアミドオリゴマー、グリコール酸又はその塩；ポリヘキサメチレンビグアニド又はＮ，Ｎ−ビス−３−アミノ−プロピル−ドデシルアミン又は塩；及びこれらの混合物のようなあらゆる既知の安定剤系を使用して安定化できる。
【００５６】
布地ケア有益剤：１回用量物品は、１重量％〜１５重量％、より好ましくは２重量％〜７重量％の布地ケア有益剤を含んでもよい。本明細書で使用するとき、「布地ケア有益剤」は、布地ケア効果をもたらすことのできる、任意の物質を指す。布地ケア効果の非限定例としては、布地の柔軟化、色保護、色復元、毛玉／毛羽立ちの軽減、抗摩擦、抗しわが挙げられるが、これらに限定されない。布地ケア有益剤の非限定例としては、シリコーン誘導体、油性糖誘導体、分散性ポリオレフィン、ポリマーラテックス、カチオン性界面活性剤、及びこれらの組み合わせが挙げられる。
【００５７】
クリーニングポリマー：本明細書の１回用量物品は、表面及び布地に関する様々な汚れに対しクリーニングをもたらすクリーニングポリマーを０．０１重量％〜１０重量％、好ましくは０．０５重量％〜５重量％、より好ましくは０．１重量％〜２．０重量％含有してもよい。任意の好適なクリーニングポリマーを使用することができる。有用なクリーニングポリマーは、ＵＳ  ２００９／０１２４５２８Ａ１に記載されている。クリーニングポリマーの有用な部類の非限定例としては、両親媒性アルコキシル化グリースクリーニングポリマー、粘土汚れクリーニングポリマー、汚れ剥離ポリマー、及び汚れ懸濁ポリマーが挙げられる。汚れに対するクリーニング性を改良するのに有用な他のアニオン性ポリマーとしては、天然資源由来のシリコーン不含有ポリマーが挙げられるが、合成資源由来のポリマーも包含される。好適なシリコーン不含アニオン性ポリマーは、キサンタンガム、アニオン性デンプン、カルボキシメチルグアー、カルボキシメチルヒドロキシプロピルグアー、カルボキシメチルセルロース及びエステル変性カルボキシメチルセルロース、Ｎ−カルボキシアルキルキトサン、Ｎ−カルボキシアルキルキトサンアミド、ペクチン、カラギーナンガム、コンドロイチン硫酸、ガラクトマンナン、ヒアルロン酸系及びアルギン酸系ポリマー、及びこれらの誘導体、並びにこれらの混合物からなる群から選択される。より好ましくは、シリコーン不含アニオン性ポリマーは、カルボキシメチルグアー、カルボキシメチルヒドロキシプロピルグアー、カルボキシメチルセルロース及びキサンタンガム、及び誘導体、並びにこれらの混合物から選択される。好ましいシリコーン不含アニオン性ポリマーとしては、ＣＰＫｅｌｃｏから商品名Ｋｅｌｚａｎ（登録商標）ＲＤで市販のポリマー、及びＡｑｕａｌｏｎから商品名Ｇａｌａｃｔｏｓｏｌ（登録商標）ＳＰ７２２Ｓ、Ｇａｌａｃｔｏｓｏｌ（登録商標）６０Ｈ３ＦＤ、及びＧａｌａｃｔｏｓｏｌ（登録商標）７０Ｈ４ＦＤで市販のポリマーが挙げられる。
【００５８】
蛍光増白剤：これらは、織物のための蛍光白色化剤としても知られている。好ましい濃度は、１回用量物品の封入成分の０．００１重量％〜２重量％である。好適な増白剤は、例えば、欧州特許第６８６６９１Ｂ号に開示されており、疎水性の種類のもの、並びに親水性の種類のものが挙げられる。Ｂｒｉｇｈｔｅｎｅｒ  ４９は、本発明で使用するのに好ましい。
【００５９】
色相染料：色相染料又は布地シェーディング染料は、１回用量物品において洗濯助剤として有用である。好適な染料としては、色相効果又はシェーディング効果を有する青色染料及び／又はバイオレット染料が挙げられる。例えば、国際特許出願公開第２００９／０８７５２４  Ａ１号、同第２００９／０８７０３４  Ａ１号、及びそれらの引用文献を参照されたい。本発明に好適である近年の開発としては、亜鉛又はアルミニウムの中心原子を有するスルホン酸塩化フタロシアニン染料が挙げられる。本明細書の１回用量物品は、０．００００３重量％〜０．１重量％、好ましくは０．００００８重量％〜０．０５重量％の布地色相染料を含んでもよい。
【００６０】
粒子状材料：１回用量物品は、粘土などの更なる粒子材料、抑泡剤、香料（香料マイクロカプセル）、漂白剤及び酵素のようなカプセル化酸化感応性及び／又は熱感応性成分、あるいは雲母、色素粒子等を含む真珠光沢剤のような美的助剤などの粒子状材料を含み得る。好適な濃度は１回用量物品の封入成分の０．０００１重量％〜１０重量％又は０．１重量％〜５重量％である。
【００６１】
香料及び臭気制御剤：好ましい実施形態では、１回用量物品は、遊離及び／又はマイクロカプセル化された香料を含む。存在する場合、遊離香料は、典型的には、１回用量物品の０．００１重量％〜１０重量％、好ましくは０．０１重量％〜５重量％、より好ましくは０．１重量％〜３重量％の濃度で組み込まれている。
【００６２】
存在する場合、香料マイクロカプセルは、香料原料物質を壁材料で少なくとも部分的に取り囲むことによって形成される。好ましくは、マイクロカプセル壁材料は、ホルムアルデヒドで架橋されたメラミン、ポリ尿素、ホルムアルデヒドで架橋された尿素又はグルテルアルデヒドで架橋された尿素を含む。適当な芳香剤マイクロカプセル及び芳香剤ナノカプセルには、以下の文献に述べられるものが挙げられる。すなわち、米国特許出願公開第２００３２１５４１７  Ａ１号、同第２００３２１６４８８  Ａ１号、同第２００３１５８３４４  Ａ１号、同第２００３１６５６９２  Ａ１号、同第２００４０７１７４２  Ａ１号、同第２００４０７１７４６  Ａ１号、同第２００４０７２７１９  Ａ１号、同第２００４０７２７２０  Ａ１号、欧州特許出願公開第１３９３７０６  Ａ１号、米国特許出願公開第２００３２０３８２９  Ａ１号、同第２００３１９５１３３  Ａ１号、同第２００４０８７４７７  Ａ１号、同第２００４０１０６５３６  Ａ１号、米国特許第６６４５４７９号、同第６２００９４９号、同第４８８２２２０号、同第４９１７９２０号、同第４５１４４６１号、米国再発行特許第ＲＥ  ３２７１３号、米国特許第４２３４６２７号。
【００６３】
他の実施形態では、１回用量物品は、米国特許第５，９４２，２１７号に記載されている非錯体化型シクロデキストリンなどの悪臭制御剤を含む。他の好適な臭気抑制剤としては、米国特許第５，９６８，４０４号、同第５，９５５，０９３号、同第６，１０６，７３８号、同第５，９４２，２１７号、及び同第６，０３３，６７９号に記載されているものが挙げられる。
【００６４】
ヒドロトロープ：本発明の１回用量物品は、典型的には、組成物が容易に水に分散するよう有効な量でヒドロトロープを含み、好ましくは１５重量％まで、より好ましくは１重量％〜１０重量％、最も好ましくは３重量％〜６重量％のヒドロトロープを含む。本明細書における使用に適したヒドロトロープとしては、米国特許第３，９１５，９０３号に開示されているような、アニオン型のヒドロトロープ、特にキシレンスルホン酸ナトリウム、キシレンスルホン酸カリウム、及びキシレンスルホン酸アンモニウム、トルエンスルホン酸ナトリウム、トルエンスルホン酸カリウム及びトルエンスルホン酸アンモニウム、クメンスルホン酸ナトリウム、クメンスルホン酸カリウム及びクメンスルホン酸アンモニウム、並びにこれらの混合物が挙げられる。
【００６５】
多価の水溶性有機ビルダー及び／又はキレート剤：本発明の１回用量物品は、０．６重量％〜２５重量％、好ましくは１重量％〜２０重量％、より好ましくは２重量％〜７重量％の多価の水溶性有機ビルダー及び／又はキレート剤を含んでもよい。水溶性有機ビルダーは、カルシウム及びマグネシウムイオン封鎖（硬水中でのクリーニング性が改善される）、アルカリ性の供給、遷移金属イオンの錯化、金属酸化物コロイドの安定化、及び他の汚れの解膠及び懸濁のための実質的な表面電荷の供給、などの様々な効果を提供する。キレート剤は、洗浄液中で染み除去性及び漂白剤成分（有機漂白触媒など）の安定性に影響を与える遷移金属（鉄、銅及びマンガンなど）に選択的に結合する。好ましくは、本発明の多価水溶性有機ビルダー及び／又はキレート剤は、次のものからなる群から選択される：ＭＥＡクエン酸塩、クエン酸、アミノアルキレンポリ（アルキレンホスホン酸塩）、アルカリ金属エタン１−ヒドロキシビスホスホン酸塩（disphosphonate）、及びニトリロトリメチレン、ホスホン酸塩、ジエチレントリアミンペンタ（メチレンホスホン酸）（ＤＴＰＭＰ）、エチレンジアミンテトラ（メチレンホスホン酸）（ＤＤＴＭＰ）、ヘキサメチレンジアミンテトラ（メチレンホスホン酸）、ヒドロキシ−エチレン１，１ジホスホン酸（ＨＥＤＰ）、ヒドロキシエタンジメチレンホスホン酸、エチレンジアミン二コハク酸（ＥＤＤＳ）、エチレンジアミン四酢酸（ＥＤＴＡ）、ヒドロキシエチルエチレンジアミン三酢酸塩（ＨＥＤＴＡ）、ニトリロ三酢酸塩（ＮＴＡ）、メチルグリシン二酢酸塩（ＭＧＤＡ）、イミノ二コハク酸塩（ＩＤＳ）、ヒドロキシエチルイミノ二コハク酸塩（ＨＩＤＳ）、ヒドロキシエチルイミノ二酢酸塩（ＨＥＩＤＡ）、グリシン二酢酸塩（ＧＬＤＡ）、ジエチレントリアミン五酢酸塩（ＤＴＰＡ）、及びこれらの混合物。
【００６６】
外部構造化系：外部構造化系は、組成物の洗浄性界面活性剤の何らかの構造化効果とは独立して、すなわち洗浄性界面活性剤以外により非水性液体組成物を安定化させるのに十分な降伏応力又は低せん断粘度のいずれかをもたらす、化合物又は化合物の混合物を指す。本発明の非水性液体組成物は、外部構造化系を０．０１重量％〜１０重量％、好ましくは０．１重量％〜４重量％含み得る。好適な外部構造化系としては、非ポリマー結晶質のヒドロキシ官能性構造剤、ポリマー構造剤、又はこれらの混合物が挙げられる。
【００６７】
好ましくは、外部構造化系は、２１℃かつ２０ｓ−１で１〜１５００ｃｐｓの高せん断粘度、並びに５０００ｃｐｓ超の低せん断粘度（２１℃、０．０５ｓ−１で）を付与する。粘度は、直径４０ｍｍの平板鋼製スピンドル及び間隙サイズ５００μｍを使用するＴＡ  ｉｎｓｔｒｕｍｅｎｔｓ製のＡＲ  ５５０レオメーターを使用して測定される。２０ｓ−１での高せん断粘度及び０．５ｓ−１での低せん断粘度は、２１℃で３分間の０．１ｓ−１〜２５ｓ−１の対数せん断速度掃引から得ることができる。
【００６８】
外部構造化剤系は、非高分子結晶質の０．０１〜１重量％のヒドロキシル官能性構造化剤を含み得る。このような非ポリマー結晶性ヒドロキシル官能性構造化剤は、一般に、最終１回用量物品中への分散を補助するために、予め乳化が可能な結晶化可能グリセリドを含む。好適な結晶化可能なグリセリドとしては、非水性液体組成物内で結晶化させることができるという条件で、硬化ヒマシ油つまり「ＨＣＯ」又はその誘導体が挙げられる。好適な外部構造化剤系の他の実施形態は、０．０１〜５重量％の天然由来の及び／又は合成の高分子構造化剤を含み得る。好適な天然資源由来のポリマー系構造化剤としては：ヒドロキシエチルセルロース、疎水変性ヒドロキシエチルセルロース、カルボキシメチルセルロース、多糖誘導体、及びこれらの混合物が挙げられる。好適な多糖誘導体としては：ペクチン、アルギン酸塩、アラビノガラクタン（アラビアゴム）、カラギーナン、ジェランガム、キサンタンガム、グアーガム及びこれらの混合物が挙げられる。好適な合成ポリマー構造化剤としては：ポリカルボキシレート、ポリアクリレート、疎水変性エトキシル化ウレタン、疎水変性非イオン性ポリオール、及びこれらの混合物が挙げられる。
【００６９】
製造方法：
他の成分と組み合わせる前にカチオン性ポリマー及び脂肪酸又は塩を予混合することで、カチオン性ポリマーが水溶性又は水分散性フィルムと複合体を形成する可能性は更に低下する。したがって、本発明は、カチオン性ポリマーを脂肪酸又は塩と予混合して、カチオン性ポリマー／脂肪酸プレミックスを形成する工程と、カチオン性ポリマー及び脂肪酸又は塩のプレミックスを非水性液体フィードと組み合わせて非水性液体組成物を形成する工程と、非水性液体組成物を水溶性又は水分散性フィルムに封入する工程と、を含む、１回用量物品の好ましい製造方法も提供する。
【００７０】
試験方法：
１）ｐＨ測定：
ゲル充填プローブ（Ｔｏｌｅｄｏプローブ、部品番号５２  ０００  １００など）を取り付け、取扱説明書に記載の手順に従って較正したＳａｎｔａｒｉｕｓ  ＰＴ−１０Ｐ  ｐＨメーターを用い未希釈組成物のｐＨを２５℃にて測定する。
【００７１】
２）粒径測定方法：
Ｏｃｃｈｉｏ  Ｆｌｏｗ  Ｃｅｌｌ  ＦＣ２００−Ｓ（Ａｎｇｌｅｕｒ，Ｂｅｌｇｉｕｍ）を使用して粒度分布を測定する。解析される粒子を含有しているサンプルをＰＥＧ２００により２重量％に希釈して、確実に単独の粒子が検出されるようにする。装置について提供されている取扱説明書に従って、２ｍＬの希釈サンプルを分析する。
【００７２】
３）水溶性又は水分散性フィルムの溶解度の測定方法：
５．０グラム±０．１グラムの水溶性又は水分散性フィルムを、予め重量を測った４００ｍＬのビーカーに入れ、２４５ｍＬ±１ｍＬの蒸留水を添加する。これを、６００ｒｐｍに設定した磁性撹拌器で、３０分間激しく撹拌する。次いで、最大で２０マイクロメートルの孔径を有する焼結ガラスフィルターを通して混合物を濾過する。回収した濾液からいずれかの従来法によって水を乾燥させ、残った材料の重量を測定する（これが溶解又は分散画分である）。次いで、溶解度又は分散度％を計算することができる。
【００７３】
４）水溶性又は水分散性フィルムの溶解時間の測定方法
フィルムを裁断し、スライド枠に合わせて折り畳んだ２４ｍｍ×３６ｍｍ透明陽画フィルム（diapositive film）をガラスは用いずにスライドに載せる（品番９４．０００．０７、Ｅｌｓｅ（Ｔｈｅ  Ｎｅｔｈｅｒｌａｎｄｓ）により市販、但し、他の供給元から市販されるプラスチック製折り畳み枠も使用することができる）。
【００７４】
標準的な６００ｍＬのガラス製ビーカーに１０℃の水道水を５００ｍＬ充填し、渦流の底がビーカーの４００ｍＬの目盛り線の高さになるように磁気撹拌棒を用い撹拌する。
【００７５】
スライドをスタンドのアームにクリップで留め、３６ｍｍの片を水平にして、ビーカーの円周からスライドの端部を５ｍｍ離してビーカーの円周に添わせてスライドを水中に垂らし、スライドの頂端が４００ｍＬの目盛り線の高さにくるように設置する。スライドを水中に配置すると同時にストップウォッチを起動させ、フィルムが完全に溶解した時点で停止させる。この間の時間を「フィルム溶解時間」として記録する。
【実施例】
【００７６】
実施例１は、カチオン性ポリマー（ＬＫ４００）と脂肪酸とを含む本発明の非水性液体組成物である。非水性液体組成物をポリビニルアルコールフィルム（Ｍ８６３０、Ｍｏｎｏｓｏｌにより供給）に封入することで本発明の１回用量物品を形成する。比較例１及び比較例２はいずれもカチオン性ポリマーを同濃度で含むが、脂肪酸又は塩を含まない。比較例１は、脂肪酸を更にポリエチレングリコール２００で置き換える。比較例２は、他のアニオン性界面活性剤、非イオン性界面活性剤、プロパンジオール、及びカチオン性ポリマーの混合物を含むが、脂肪酸は含有しない。全三例において、カチオン性ポリマーは粒子形態で存在させた。
【表１】
2013534554.tif 000012
１  Ｄｏｗ  Ｃｈｅｍｉｃａｌｓにより市販
【００７７】
溶解試験に関し、最初にポリビニルアルコールフィルムを各非水性液体組成物に毎日手動で撹拌しながら３５℃で２週間浸漬させた。
【００７８】
実施例１及び比較例１の溶解時間の比較から、脂肪酸はフィルムの溶解時間を３２％改善することが見出すことができる。比較例２から見られるように、プロパンジオール、アニオン性界面活性剤、及び非イオン性界面活性剤を存在させてもフィルムの溶解性は改善されなかった。
【００７９】
実施例２〜７は、ポリビニルアルコールフィルム（Ｍ８６３０、Ｍｏｎｏｓｏｌにより供給）に封入された、カチオン性ポリマー（ＬＫ４００）及び脂肪酸を含む非水性液体洗剤組成物を含む、本発明の１回用量物品である。
【表２】
2013534554.tif 000013
１  Ｄｏｗ  Ｃｈｅｍｉｃａｌｓにより市販
２  Ｒｈｏｄｉａ，Ｉｎｃ（Ｃｒａｎｂｕｒｙ  ＮＪ）
３  ＢＡＳＦ  Ｃｏｒｐｏｒａｔｉｏｎ（Ｎｏｒｔｈ  Ｍｏｕｎｔ  Ｏｌｉｖｅ，ＮＪ）
４  ＪＲ３０Ｍ粒子形態のＬＫ４００，非水性分散剤（Ｐｌｕｒｉｏｌ  Ｅ２００）懸濁液として添加
５  粒子形態のＬｕｐａｓｏｌ  ＳＫ，非水性分散剤（Ｐｌｕｒｉｏｌ  Ｅ２００）懸濁液として添加
【００８０】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【国際調査報告】
2013534554.tif 000020
2013534554.tif 000021